(57)【要約】  本発明は、液状内容物を滴状に吐出するチューブ型化粧品容器に関するもので、下部から上部へ行くほど広くなる簡単な内容物吐出構造を通じて、液状の内容物を滴状に吐出することを可能とし、製造時間の短縮、及び製造費用の節減により使用者の費用負担を軽減することが可能である。
2017504379.tif 000002
【特許請求の範囲】
【請求項１】
内容物が貯蔵されるチューブ本体（100）と、
前記チューブ本体（100）の上部に結合されてチューブ本体（100）に支持され、前記チューブ本体（100）内に貯蔵された内容物が排出されるように排出孔（210）が形成されたチューブネック（200）と、
前記チューブネック（200）の内側に結合され、前記排出孔（210）を通じて排出される内容物が上部へ移動する時、吐出量が調節されるように下部から上部へ行くほど広くなる吐出量調節管（310）を備えた吐出量調節部（300）と、
前記チューブネック（200）の上部に結合され、前記吐出量調節部（300）を加圧して前記チューブネック（200）の内側に前記吐出量調節部（300）を固定させる内容物吐出管（400）であって、内容物を外部へ吐出させる吐出孔（410）が上部に形成された内容物吐出管（400）と、
前記チューブネック（200）の外側を囲みながら結合され、前記内容物吐出管（400）の吐出孔（410）を止栓する止栓棒（520）が備えられたオーバーキャップ（500）と、を含むこと
を特徴とする、液状内容物を滴状に吐出するチューブ型化粧品容器。
【請求項２】
前記吐出量調節部（300）には、前記内容物吐出管（400）の下部が定置できるように外周面を取り囲んで定置部（320）が形成され、前記内容物吐出管（400）の下部には、前記定置部（320）に定置される定置用突起（420）が形成されること
を特徴とする、請求項１に記載の液状内容物を滴状に吐出するチューブ型化粧品容器。
【請求項３】
内容物が貯蔵されるチューブ本体（100’）と、
前記チューブ本体（100’）の上部に結合されてチューブ本体（100’）に支持され、前記チューブ本体（100’）の加圧により前記チューブ本体（100’）に貯蔵された内容物が排出される時、吐出量が調節されるように下部から上部に行くほど広くなる吐出量調節管（210’）が備えられたチューブネック（200’）と、
前記チューブネック（200’）の上部に結合され、前記吐出量調節管（210’）を通じて上部へ移動する内容物を外部へ吐出するように、上部に吐出孔（310’）が形成された内容物吐出管（300’）と、
前記チューブネック（200’）の外周に結合され、前記内容物吐出管（300’）の吐出孔（310’）を止栓する止栓棒（420’）を備えたオーバーキャップ（400’）と、を含むこと
を特徴とする、液状内容物を滴状に吐出するチューブ型化粧品容器。
【請求項４】
内容物が貯蔵されるチューブ本体（100’’）と、
前記チューブ本体（100’’）の上部に結合されてチューブ本体（100’’）に支持され、前記チューブ本体（100’’）の加圧により前記チューブ本体（100’’）に貯蔵された内容物が吐出される時、吐出量が調節されるように下部から上部に行くほど広くなる吐出量調節管（210’’）を備え、前記吐出量調節管（210’’）を通じて上部へ移動する内容物を外部へ吐出するように、上部に吐出孔（220’’）が形成された内容物吐出管（200’’）と、
前記内容物吐出管（200’’）の外周に結合され、前記内容物吐出管（200’’）の吐出孔（220’’）を止栓する止栓棒（320’’）が備えられたオーバーキャップ（300’’）と、を含むこと
を特徴とする、液状内容物を滴状に吐出するチューブ型化粧品容器。
【請求項５】
前記吐出量調節管（210’’）は、前記内容物吐出管（200’’）の内側上部から内容物吐出管（200’’）の内周面を囲みながら、下方向へ延長形成されること
を特徴とする、請求項4に記載の液状内容物を滴状に吐出するチューブ型化粧品容器。
【発明の詳細な説明】
【技術分野】
【０００１】
本発明は、チューブ型化粧品容器に関し、より詳細には、下部から上部へ行くほど広くなる簡単な内容物吐出構造を通じて液状の内容物を滴状に吐出することを可能とし、製造時間の短縮及び製造費用節減によって使用者の費用負担を軽減可能な、液状内容物を滴状に吐出するチューブ型化粧品容器に関する。
【背景技術】
【０００２】
一般的に目に滴下して使用する治療用薬物、人工涙液などは、チューブ容器に注入して提供され、使用者がチューブ容器を加圧時、液状の内容物が滴状に一定量吐出される。
【０００３】
上記のような液状の内容物を滴状に吐出するチューブ型化粧品容器が登録実用新案第20-0310084号（以下、「登録実用新案」という）に開示されている。
【０００４】
前記登録実用新案は、チューブ容器（1）の先端に形成した排出部（2）に、吐出孔（3a）が形成された排出部用の結合キャップ（3）を結合し、その上に蓋（4）を係合するようにしたチューブ型の化粧品容器であって、吐出孔（5a）が形成された第1吐出管（5）を前記吐出部の結合キャップ（3）の内部に挿入し、前記第1吐出管（5）の内部には、上部に一字型切欠部（6a）が形成されたゴム材質の中間出口管（6）を挿入し、さらに、前記中間出口管（6）の内部には、下部にフランジ（7b）を形成してチューブ容器（1）の排出部（2）内に形成された係止環（2a）に係止されるようにし、中央にはチューブ容器（1）と連通する吐出孔（7c）が形成された管体形のチューブ出口管（7）を挿入するように構成したことが特徴である。
【０００５】
前記登録実用新案は、チューブ容器（1）を所定の力で加圧すると、容器内の内容物がチューブ出口管（7）の吐出孔（7c）を通じて移動し、スペース（9）に集まると同時に、チューブ出口管（7）を囲んでいる中間出口管（6）の切欠部（6a）が広がり、一字型の隙間が生じ、この隙間にスペース（9）に集まった液状の内容物が排出され、水滴形態に変換されて、第1吐出管（5）の吐出孔（5a）を通じて外部へ吐出される。該登録実用新案は、内容物を水滴状に吐出するための構造が複雑で、製造時間が増加することはもちろん、製造費用増加による使用者の費用負担が大きくなると言う問題点があった。
【先行技術文献】
【特許文献】
【０００６】
【特許文献１】韓国登録実用新案第20-0310084号
【発明の概要】
【発明が解決しようとする課題】
【０００７】
本発明は上述の問題点を解決するために案出されたもので、本発明の目的は、下部から上部へ行くほど広くなる簡単な内容物吐出構造を通じて液状の内容物を滴状に吐出することが可能なので、製造時間の短縮はもちろん、製造費用節減による使用者の費用負担軽減を図ることができる、液状内容物を滴状に吐出するチューブ型化粧品容器を提供することである。
【課題を解決するための手段】
【０００８】
前記のような問題点を解決するために、本発明の好ましい第1実施形態に係る液状内容物を滴状に吐出するチューブ型化粧品容器は、内容物が貯蔵されるチューブ本体（100）と、前記チューブ本体（100）の上部に結合されてチューブ本体（100）に支持され、前記チューブ本体（100）に貯蔵された内容物が排出されるように排出孔（210）が形成されたチューブネック（200）と、前記チューブネック（200）の内側に結合され、前記排出孔（210）を通じて排出される内容物が上部へ移動する時、吐出量が調節されるように下部から上部に行くほど広くなる吐出量調節管（310）が備えられた吐出量調節部（300）と、前記チューブネック（200）の上部に結合され、前記吐出量調節部（300）を加圧して、前記チューブネック（200）の内側に、前記吐出量調節部（300）を固定させ、その上段に内容物を外部へ吐出させる吐出孔（410）が形成される内容物吐出管（400）と、前記チューブネック（200）の外側を囲みながら結合され、前記内容物吐出管（400）の吐出孔（410）を止栓する止栓棒（520）を備えたオーバーキャップ（500）とを含むことを特徴とする。
【０００９】
また、前記吐出量調節部（300）には、前記内容物吐出管（400）の下部が定置されるように外周面を取り囲んで定置部（320）が形成され、前記内容物吐出管（400）の下部には、前記定置部（320）に定置される定置用突起（420）が形成されることを特徴とする。
【００１０】
他の実施態様では、本発明の好ましい第2実施形態に係る液状内容物を滴状に吐出するチューブ型化粧品容器は、内容物が貯蔵されるチューブ本体（100’）と、前記チューブ本体（100’）の上部に結合され、チューブ本体（100’）に支持され、前記チューブ本体（100’）の加圧により前記チューブ本体（100’）に貯蔵された内容物が排出される時、吐出量が調節されるように下部から上部に行くほど広くなる吐出量調節管（210’）を備えたチューブネック（200’）と、前記チューブネック（200’）の上部に結合され、前記吐出量調節管（210’）を通じて上部へ移動する内容物を外部へ吐出するように、上側に吐出孔（310’）が形成される内容物吐出管（300’）と、前記チューブネック（200’）の外側を囲みながら結合され、前記内容物吐出管（300’）の吐出孔（310’）を止栓する止栓棒（420’）を備えたオーバーキャップ（400’）と、を含むことを特徴とする。
【００１１】
他の実施態様では、本発明の好ましい第3実施形態に係る液状内容物を滴状に吐出するチューブ型化粧品容器は、内容物が貯蔵されるチューブ本体（100’’）と、前記チューブ本体（100’’）の上部に結合され、チューブ本体（100’’）に支持され、前記チューブ本体（100’’）の加圧により前記チューブ本体（100’’）に貯蔵された内容物が排出される時、吐出量が調節されるように下部から上部に行くほど広くなる吐出量調節管（210’’）が備えられ、前記吐出量調節管（210’’）を通じて上部へ移動する内容物を外部へ吐出するように、その上側に吐出孔（220’’）が形成される内容物吐出管（200’’）と、前記内容物吐出管（200’’）の外側を囲みながら結合され、前記内容物吐出管（200’’）の吐出孔（220’’）を止栓する止栓棒（320’’）を備えたオーバーキャップ（300’’）と、を含むことを特徴とする。
【００１２】
また、前記吐出量調節管（210’’）は、前記内容物吐出管（200’’）の内側上部から内容物吐出管（200’）の内周面を取り囲んで、下方向へ延長形成されることを特徴とする。
【発明の効果】
【００１３】
以上のように、本発明によれば、下部から上部に行くほど広くなる簡単な内容物吐出構造を通じて液状の内容物を滴状に吐出することが可能なので、製造時間の短縮はもちろん、製造費用の節減による使用者の費用負担を軽減することができると言う長所がある。
【図面の簡単な説明】
【００１４】
【図１】図1は、本発明の好ましい第1実施形態に係る、液状内容物を滴状に吐出するチューブ型化粧品容器の構成を示す分解断面図である。
【図２】図2は、本発明の好ましい第1実施形態に係る、液状内容物を滴状に吐出するチューブ型化粧品容器の構成を示す組立断面図である。
【図３】図3は、本発明の好ましい第1実施形態に係る、液状内容物を滴状に吐出するチューブ型化粧品容器の使用状態図である。
【図４】図4は、本発明の好ましい第2実施形態に係る、液状内容物を滴状に吐出するチューブ型化粧品容器の構成を示す組立断面図である。
【図５】図5は、本発明の好ましい第3実施形態に係る、液状内容物を滴状に吐出するチューブ型化粧品容器の構成を示す組立断面図である。
【発明を実施するための形態】
【００１５】
以下、図面を参照して、本発明を詳細に説明する。各図面に記載された同一の参照符号は同一の部材を示す。
【００１６】
図1は、本発明の好ましい第1実施形態に係る液状内容物を滴状に吐出するチューブ型化粧品容器の構成を示す分解断面図であり、図2は、本発明の好ましい第1実施形態に係る液状内容物を滴状に吐出するチューブ型化粧品容器の構成を示す組立断面図であり、図3は、本発明の好ましい第1実施形態に係る液状内容物を滴状に吐出するチューブ型化粧品容器の使用状態図である。
【００１７】
図1〜3を参照すると、本発明の好ましい実施形態に係る液状内容物を滴状に吐出するチューブ型化粧品容器は、チューブ本体（100）、チューブネック（200）、吐出量調節部（300）、内容物吐出管（400）、オーバーキャップ（500）を含む。
【００１８】
前記チューブ本体（100）は、液状の内容物が貯蔵されるもので、使用者による加圧によって内容物を吐出することが可能なような材質のチューブで構成される。
【００１９】
前記チューブネック（200）は、前記チューブ本体（100）の上部に結合されてチューブ本体（100）に支持され、その中央部には、前記チューブ本体（100）に貯蔵された内容物が排出されることが可能なように排出孔（210）が形成される。
前記チューブネック（200）の上部外周面には、オーバーキャップ（500）とネジ結合することが可能なように、第1ネジ山（220）が形成される。
【００２０】
前記吐出量調節部（300）は、前記チューブネック（200）の内側に結合されて前記排出孔（210）を通じて排出される内容物が上部へ移動する時、その吐出量を調節することができる。該実施形態の実施例の中には、前記吐出量調節部（300）の中央部に、下部から上部へ行くほど広くなる吐出量調節管（310）が備えられる場合がある。
【００２１】
前記吐出量調節管（310）は、吐出量調節部（300）の上側中央部から下方向へ延長され、内容物の吐出量を調節することとなり、下部から上部へ行くほど広くなるように形成されることで、内容物が滴下することを可能にする。
【００２２】
内容物が滴下する過程は、図3に示すように、使用者がチューブ本体（100）を上下逆さまにした状態でチューブ本体（100）を加圧すると、排出孔（210）を通じて排出される内容物のうち、極少量の内容物が吐出量調節管（310）の狭い下部を通過して内容物吐出管（400）の内部に充填されるようになる。内容物吐出管（400）の内部への内容物の充填が完了した状態で、一定量の内容物が吐出量調節管（310）の狭い下部を持続的に通過する場合、内容物吐出管（400）の吐出孔（410）に内容物が集積して、滴状に内容物の吐出が行われることとなる。
【００２３】
一方、前記の吐出量調節部（300）には、後述する内容物吐出管（400）の下部に形成される定置用突起（420）が定置できるように外周面を取り囲んで定置部（320）が形成される。
【００２４】
前記内容物吐出管（400）は、前記チューブネック（200）の上部に結合されて内容物を外部へ吐出させ、その上側に吐出孔（410）が形成され、該吐出孔（410）を通して内容物を吐出する。
【００２５】
本発明において、前記内容物吐出管（400）は、前記吐出量調節部（300）を加圧して前記チューブネック（200）の内側に前記吐出量調節部（300）を固定させることが特徴で、このために、内容物吐出管（400）の下部には、前記定置部（320）に定置される定置用突起（420）が形成される。
【００２６】
前記オーバーキャップ（500）は、前記チューブネック（200）の外周に着脱可能に結合されるもので、チューブネック（200）の第1ネジ山（220）にネジ結合されることが可能なように、内周面に第2ねじ山（510）が形成される。
【００２７】
前記オーバーキャップ（500）の内側上部には、内容物の漏出を防止するように、前記内容物吐出管（400）の吐出孔（410）を止栓する止栓棒（520）が備えられる。
次に、図4を参照して、本発明の好ましい第2実施形態に係る液状内容物を滴状に吐出するチューブ型化粧品容器を説明する。
【００２８】
図4を参照すると、本発明の好ましい第2実施形態に係る液状内容物を滴状に吐出するチューブ型化粧品容器は、前述した第1実施形態と異なり、内容物の吐出量を調節する吐出量調節部（300）が個別に存在せず、チューブネック（200’）の中央に吐出量調節管（210’）を備えたことが特徴であり、該吐出量調節管（210’）が下部から上部に行くほど広くなるように前記チューブネック（200’）に一体に成形されることにより、吐出量調節部（300）をチューブネック（200）の内側に結合させるための組立過程が不要になり、部品数削減および組立時間短縮による生産性の向上が可能となる。
【００２９】
その他、チューブ本体（100’）、内容物吐出管（300’）およびオーバーキャップ（400’）は、第1実施形態で説明したものと同一であるので詳細な説明は省略する。
次に、図5を参照して、本発明の好ましい第3実施形態に係る液状内容物を滴状に吐出するチューブ型化粧品容器を説明する。
【００３０】
図5を参照すると、本発明の好ましい第3実施形態に係る液状内容物を滴状に吐出するチューブ型化粧品容器は、前述した第1実施形態とは異なり、チューブ本体（100）に支持され、排出孔（210）が形成されるチューブネック（200）が個別に存在せず、内容物を貯蔵するチューブ本体（100’’）の上部に内容物を外部へ吐出させる内容物吐出管（200’’）を一体に成形したことが特徴である。チューブ本体（100’’）に直接内容物吐出管（200’’）を一体に成形することにより、第1実施形態とは異なり、チューブ本体（100）の上部にチューブネック（200）を成形して、チューブネック（200）に内容物吐出管（400）を結合する工程が不要になり、部品数の削減および組立時間短縮による生産性の向上を図ることが可能となる。
【００３１】
さらに、前記内容物吐出管（200’’）の内側上部には内容物吐出管（200’’）の内周面を取り囲んで、下方向へ延長形成されて内容物の吐出量を調節する吐出量調整管（210’’）が備えられ、内容物吐出管（200’’）の内側に下部から上部へ行くほど広くなる吐出量調節管（210’’）が直接形成されることで、第1実施形態とは異なり、吐出量調節部（300）をチューブネック（200）の内側に結合させるための組立過程が不要になり、部品数削減および組立時間短縮による生産性の向上を図ることが可能となる。
【００３２】
前記内容物吐出管（200’’）の上段には、前記吐出量調節管（210’’）を通じて上部へ移動する内容物を外部へ吐出させるように吐出孔（220’’）が形成され、内容物吐出管（200’’）の外側には前記吐出孔（220’’）を止栓する止栓棒（320’’）を備えたオーバーキャップ（300’’）が結合される。
【００３３】
図面と明細書で最適の実施形態を開示した。ここで特定の用語が用いられているが、これは単に本発明を説明するための目的で用いられたものであり、意味の限定や特許請求の範囲に記載された本発明の範囲を制限するために用いられたものではない。従って、当該技術分野の通常の知識を有する者であれば、多様な変形および均等な他の実施形態が可能であることを理解すべきである。したがって、本発明の真の技術的保護範囲は、添付された特許請求の範囲の技術的思想によって定められるべきである。
を特徴とする、請求項4に記載の液状内容物を滴状に吐出するチューブ型化粧品容器。
【図１】
2017504379.tif 000003
【図２】
2017504379.tif 000004
【図３】
2017504379.tif 000005
【図４】
2017504379.tif 000006
【図５】
2017504379.tif 000007
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
内容物が貯蔵されるチューブ本体（100）と、
前記チューブ本体（100）の上部に結合されてチューブ本体（100）に支持され、前記チューブ本体（100）内に貯蔵された内容物が排出されるように排出孔（210）が形成されたチューブネック（200）と、
前記チューブネック（200）の内側に結合され、前記排出孔（210）を通じて排出される内容物が上部へ移動する時、吐出量が調節されるように下部から上部へ行くほど広くなる吐出量調節管（310）を備えた吐出量調節部（300）と、
前記チューブネック（200）の上部に結合され、前記吐出量調節部（300）を加圧して前記チューブネック（200）の内側に前記吐出量調節部（300）を固定させる内容物吐出管（400）であって、内容物を外部へ吐出させる吐出孔（410）が上部に形成された内容物吐出管（400）と、
前記チューブネック（200）の外側を囲みながら結合され、前記内容物吐出管（400）の吐出孔（410）を止栓する止栓棒（520）が備えられたオーバーキャップ（500）と、を含み、
前記内容物吐出管（400）の上部は、吐出孔（410）が形成され、かつ下部よりも直径が小さく、前記チューブ本体（100）が加圧されると、前記吐出量調節管（310）を通過して前記内容物吐出管（400）の内部に充填された内容物が、前記吐出孔（410）を通って吐出され、前記直径が小さく形成された前記内容物吐出管（400）の上部を通過することにより滴状に吐出可能であること
を特徴とする、液状内容物を滴状に吐出するチューブ型化粧品容器。
【請求項２】
前記吐出量調節部（300）には、前記内容物吐出管（400）の下部が定置できるように外周面を取り囲んで定置部（320）が形成され、前記内容物吐出管（400）の下部には、前記定置部（320）に定置される定置用突起（420）が形成されること
を特徴とする、請求項１に記載の液状内容物を滴状に吐出するチューブ型化粧品容器。
【請求項３】
内容物が貯蔵されるチューブ本体（100’）と、
前記チューブ本体（100’）の上部に結合されてチューブ本体（100’）に支持され、前記チューブ本体（100’）の加圧により前記チューブ本体（100’）に貯蔵された内容物が排出される時、吐出量が調節されるように下部から上部に行くほど広くなる吐出量調節管（210’）が備えられたチューブネック（200’）と、
前記チューブネック（200’）の上部に結合され、前記吐出量調節管（210’）を通じて上部へ移動する内容物を外部へ吐出するように、上部に吐出孔（310’）が形成された内容物吐出管（300’）と、
前記チューブネック（200’）の外周に結合され、前記内容物吐出管（300’）の吐出孔（310’）を止栓する止栓棒（420’）を備えたオーバーキャップ（400’）と、を含み、
前記内容物吐出管（300’）の上部は、吐出孔（310’）が形成され、かつ下部よりも直径が小さく、前記チューブ本体（100’）が加圧されると、前記吐出量調節管（210’）を通過して前記内容物吐出管（300’）の内部に充填された内容物が、前記吐出孔（310’）を通って吐出され、前記直径が小さく形成された前記内容物吐出管（300’）の上部を通過することにより滴状に吐出可能であること
を特徴とする、液状内容物を滴状に吐出するチューブ型化粧品容器。
【手続補正２】
【補正対象書類名】明細書
【補正対象項目名】全文
【補正方法】変更
【補正の内容】
【発明の詳細な説明】
【技術分野】
【０００１】
本発明は、チューブ型化粧品容器に関し、より詳細には、下部から上部へ行くほど広くなる簡単な内容物吐出構造を通じて液状の内容物を滴状に吐出することを可能とし、製造時間の短縮及び製造費用節減によって使用者の費用負担を軽減可能な、液状内容物を滴状に吐出するチューブ型化粧品容器に関する。
【背景技術】
【０００２】
一般的に目に滴下して使用する治療用薬物、人工涙液などは、チューブ容器に注入して提供され、使用者がチューブ容器を加圧時、液状の内容物が滴状に一定量吐出される。
【０００３】
上記のような液状の内容物を滴状に吐出するチューブ型化粧品容器が登録実用新案第20-0310084号（以下、「登録実用新案」という）に開示されている。
【０００４】
前記登録実用新案は、チューブ容器（1）の先端に形成した排出部（2）に、吐出孔（3a）が形成された排出部用の結合キャップ（3）を結合し、その上に蓋（4）を係合するようにしたチューブ型の化粧品容器であって、吐出孔（5a）が形成された第1吐出管（5）を前記吐出部の結合キャップ（3）の内部に挿入し、前記第1吐出管（5）の内部には、上部に一字型切欠部（6a）が形成されたゴム材質の中間出口管（6）を挿入し、さらに、前記中間出口管（6）の内部には、下部にフランジ（7b）を形成してチューブ容器（1）の排出部（2）内に形成された係止環（2a）に係止されるようにし、中央にはチューブ容器（1）と連通する吐出孔（7c）が形成された管体形のチューブ出口管（7）を挿入するように構成したことが特徴である。
【０００５】
前記登録実用新案は、チューブ容器（1）を所定の力で加圧すると、容器内の内容物がチューブ出口管（7）の吐出孔（7c）を通じて移動し、スペース（9）に集まると同時に、チューブ出口管（7）を囲んでいる中間出口管（6）の切欠部（6a）が広がり、一字型の隙間が生じ、この隙間にスペース（9）に集まった液状の内容物が排出され、水滴状に変換されて、第1吐出管（5）の吐出孔（5a）を通じて外部へ吐出される。該登録実用新案は、内容物を水滴状に吐出するための構造が複雑なので、製造時間が増加することはもちろん、製造費用増加による使用者の費用負担が大きくなると言う問題点があった。
【先行技術文献】
【特許文献】
【０００６】
【特許文献１】韓国登録実用新案第20-0310084号
【発明の概要】
【発明が解決しようとする課題】
【０００７】
本発明は上述の問題点を解決するために案出されたもので、本発明の目的は、下部から上部へ行くほど広くなる簡単な内容物吐出構造を通じて液状の内容物を滴状に吐出することが可能なので、製造時間の短縮はもちろん、製造費用節減による使用者の費用負担軽減を図ることができる、液状内容物を滴状に吐出するチューブ型化粧品容器を提供することである。
【課題を解決するための手段】
【０００８】
前記のような問題点を解決するために、本発明の好ましい第1実施形態に係る液状内容物を滴状に吐出するチューブ型化粧品容器は、内容物が貯蔵されるチューブ本体（100）と、前記チューブ本体（100）の上部に結合されてチューブ本体（100）に支持され、前記チューブ本体（100）に貯蔵された内容物が排出されるように排出孔（210）が形成されたチューブネック（200）と、前記チューブネック（200）の内側に結合され、前記排出孔（210）を通じて排出される内容物が上部へ移動する時、吐出量が調節されるように下部から上部に行くほど広くなる吐出量調節管（310）が備えられた吐出量調節部（300）と、前記チューブネック（200）の上部に結合され、前記吐出量調節部（300）を加圧して、前記チューブネック（200）の内側に、前記吐出量調節部（300）を固定させ、その上段に内容物を外部へ吐出させる吐出孔（410）が形成される内容物吐出管（400）と、前記チューブネック（200）の外側を囲みながら結合され、前記内容物吐出管（400）の吐出孔（410）を止栓する止栓棒（520）を備えたオーバーキャップ（500）とを含むことを特徴とする。
【０００９】
また、前記吐出量調節部（300）には、前記内容物吐出管（400）の下部が定置されるように外周面を取り囲んで定置部（320）が形成され、前記内容物吐出管（400）の下部には、前記定置部（320）に定置される定置用突起（420）が形成されることを特徴とする。
【００１０】
他の実施態様では、本発明の好ましい第2実施形態に係る液状内容物を滴状に吐出するチューブ型化粧品容器は、内容物が貯蔵されるチューブ本体（100’）と、前記チューブ本体（100’）の上部に結合され、チューブ本体（100’）に支持され、前記チューブ本体（100’）の加圧により前記チューブ本体（100’）に貯蔵された内容物が排出される時、吐出量が調節されるように下部から上部に行くほど広くなる吐出量調節管（210’）を備えたチューブネック（200’）と、前記チューブネック（200’）の上部に結合され、前記吐出量調節管（210’）を通じて上部へ移動する内容物を外部へ吐出するように、上側に吐出孔（310’）が形成される内容物吐出管（300’）と、前記チューブネック（200’）の外側を囲みながら結合され、前記内容物吐出管（300’）の吐出孔（310’）を止栓する止栓棒（420’）を備えたオーバーキャップ（400’）と、を含むことを特徴とする。
【発明の効果】
【００１１】
以上のように、本発明によれば、下部から上部に行くほど広くなる簡単な内容物吐出構造を通じて液状の内容物を滴状に吐出することが可能なので、製造時間の短縮はもちろん、製造費用の節減による使用者の費用負担を軽減することができると言う長所がある。
【図面の簡単な説明】
【００１２】
【図１】図1は、本発明の好ましい第1実施形態に係る、液状内容物を滴状に吐出するチューブ型化粧品容器の構成を示す分解断面図である。
【図２】図2は、本発明の好ましい第1実施形態に係る、液状内容物を滴状に吐出するチューブ型化粧品容器の構成を示す組立断面図である。
【図３】図3は、本発明の好ましい第1実施形態に係る、液状内容物を滴状に吐出するチューブ型化粧品容器の使用状態図である。
【図４】図4は、本発明の好ましい第2実施形態に係る、液状内容物を滴状に吐出するチューブ型化粧品容器の構成を示す組立断面図である。
【発明を実施するための形態】
【００１３】
以下、図面を参照して、本発明を詳細に説明する。各図面に記載された同一の参照符号は同一の部材を示す。
【００１４】
図1は、本発明の好ましい第1実施形態に係る液状内容物を滴状に吐出するチューブ型化粧品容器の構成を示す分解断面図であり、図2は、本発明の好ましい第1実施形態に係る液状内容物を滴状に吐出するチューブ型化粧品容器の構成を示す組立断面図であり、図3は、本発明の好ましい第1実施形態に係る液状内容物を滴状に吐出するチューブ型化粧品容器の使用状態図である。
【００１５】
図1〜3を参照すると、本発明の好ましい実施形態に係る液状内容物を滴状に吐出するチューブ型化粧品容器は、チューブ本体（100）、チューブネック（200）、吐出量調節部（300）、内容物吐出管（400）、オーバーキャップ（500）を含む。
【００１６】
前記チューブ本体（100）は、液状の内容物が貯蔵されるもので、使用者による加圧によって内容物を吐出することが可能な材質のチューブで構成される。
【００１７】
前記チューブネック（200）は、前記チューブ本体（100）の上部に結合されてチューブ本体（100）に支持され、その中央部には、前記チューブ本体（100）に貯蔵された内容物が排出されることが可能なように排出孔（210）が形成される。
前記チューブネック（200）の上部外周面には、オーバーキャップ（500）とネジ結合することが可能なように、第1ネジ山（220）が形成される。
【００１８】
前記吐出量調節部（300）は、前記チューブネック（200）の内側に結合されて前記排出孔（210）を通じて排出される内容物が上部へ移動する時、その吐出量を調節することができる。該実施形態の実施例の中には、前記吐出量調節部（300）の中央部に、下部から上部へ行くほど広くなる吐出量調節管（310）が備えられる特徴がある。
【００１９】
前記吐出量調節管（310）は、吐出量調節部（300）の上側中央部から下方向へ延長され、内容物の吐出量を調節することとなり、下部から上部へ行くほど広くなるように形成されることで、内容物が滴下することを可能にする。
【００２０】
内容物が滴下する過程は、図3に示すように、使用者がチューブ本体（100）を上下逆さまにした状態でチューブ本体（100）を加圧すると、排出孔（210）を通じて排出される内容物のうち、極少量の内容物が吐出量調節管（310）の狭い下部を通過して内容物吐出管（400）の内部に充填されるようになる。内容物吐出管（400）の内部への内容物の充填が完了した状態で、一定量の内容物が吐出量調節管（310）の狭い下部を持続的に通過する場合、内容物吐出管（400）の吐出孔（410）に内容物が集積して、滴状に内容物の吐出が行われることとなる。
【００２１】
一方、前記の吐出量調節部（300）には、後述する内容物吐出管（400）の下部に形成される定置用突起（420）が定置できるように外周面を取り囲んで定置部（320）が形成される。
【００２２】
前記内容物吐出管（400）は、前記チューブネック（200）の上部に結合されて内容物を外部へ吐出させ、その上側に吐出孔（410）が形成され、該吐出孔（410）を通して内容物を吐出する。
【００２３】
本発明において、前記内容物吐出管（400）は、前記吐出量調節部（300）を加圧して前記チューブネック（200）の内側に前記吐出量調節部（300）を固定させることが特徴で、このために、内容物吐出管（400）の下部には、前記定置部（320）に定置される定置用突起（420）が形成される。
【００２４】
一方、本発明において、前記内容物吐出管（400）の上部には、下部よりも直径が小さい吐出孔（410）が形成され、前記チューブ本体（100）が加圧されると、前記吐出量調節管（310）を通過して内容物吐出管（400）の内部に充填された内容物が、前記吐出孔（410）を通って吐出される過程で、前記直径が小さく形成された前記内容物吐出管（400）の上部を通過することにより滴状に吐出されることが可能になる。
【００２５】
言いかえれば、本発明では、下部から上部に行くほど広くなる排出量調節管（310）の構造と上部が下部よりも小さく形成された内容物吐出管（400）の構造を通して、チューブ本体（100）をやや強く加圧しても、内容物が水流を噴出するような現象を起こさずに滴状に一滴ずつ吐出することが可能である。
【００２６】
前記オーバーキャップ（500）は、前記チューブネック（200）の外周に着脱可能に結合されるもので、チューブネック（200）の第1ネジ山（220）にネジ結合されることが可能なように、内周面に第2ねじ山（510）が形成される。
【００２７】
前記オーバーキャップ（500）の内側上部には、内容物の漏出を防止するように、前記内容物吐出管（400）の吐出孔（410）を止栓する止栓棒（520）が備えられる。
【００２８】
次に、図4を参照して、本発明の好ましい第2実施形態に係る液状内容物を滴状に吐出するチューブ型化粧品容器を説明する。
【００２９】
図4を参照すると、本発明の好ましい第2実施形態に係る液状内容物を滴状に吐出するチューブ型化粧品容器は、前述した第1実施形態と異なり、内容物の吐出量を調節する吐出量調節部（300）が個別に存在せず、チューブネック（200’）の中央に吐出量調節管（210’）を備えたことが特徴であり、該吐出量調節管（210’）が下部から上部に行くほど広くなるように前記チューブネック（200’）に一体に成形されることにより、吐出量調節部（300）をチューブネック（200）の内側に結合させるための組立過程が不要になり、部品数削減および組立時間短縮による生産性の向上を図ることが可能となる。
【００３０】
その他、チューブ本体（100’）、内容物吐出管（300’）およびオーバーキャップ（400’）は、第1実施形態で説明したものと同一であるので詳細な説明は省略する。
【００３１】
図面と明細書で最適の実施形態を開示した。ここで特定の用語が用いられているが、これは単に本発明を説明するための目的で用いられたものであり、意味の限定や特許請求の範囲に記載された本発明の範囲を制限するために用いられたものではない。従って、当該技術分野の通常の知識を有する者であれば、多様な変形および均等な他の実施形態が可能であることを理解すべきである。したがって、本発明の真の技術的保護範囲は、添付された特許請求の範囲の技術的思想によって定められるべきである。
【手続補正３】
【補正対象書類名】図面
【補正対象項目名】図５
【補正方法】削除
【補正の内容】
【国際調査報告】
2017504379.tif 000008
2017504379.tif 000009
2017504379.tif 000010
2017504379.tif 000011